(57)【要約】      （修正有）【課題】インターホン呼出及び広告情報を外部に持ち出し可能な携帯端末へ通知するインターホンシステムを提供する。【解決手段】インターホンシステム１Ａは、集合住宅２のベント情報生成装置から取得して集約するイベント情報集約手段と、イベントの発生を伝えるプッシュ通知を、通信ネットワークを介して居住者が使用しているユーザ端末に送信するサーバ装置とで構成される。サーバ装置は、居住者情報と複数種の広告情報とを記憶している記憶手段と、居室番号を取得してプッシュ通知を送信すべき居住者の住戸を居住者情報から特定するマッチング手段と、特定された住戸に居住する居住者のユーザ端末にプッシュ通知を送信するプッシュ通知手段と、マッチング手段によって特定された住戸に居住する居住者の属性に対応した広告情報を複数の広告情報から選択し、選択した広告情報をプッシュ通知に付帯させてユーザ端末に送信する広告情報配信手段と、を備える。【選択図】図１
2019220915.tif 000002
【特許請求の範囲】
【請求項１】
住戸に居住する居住者に対するイベントの発生についてのイベント情報であって、前記住戸に割り当てられている居室番号が関連付けられているイベント情報を生成するイベント情報生成装置と、
生成された前記イベント情報を前記イベント情報生成装置から取得して集約するイベント情報集約手段と、
前記イベントの発生を伝えるプッシュ通知を、通信ネットワークを介して前記居住者が使用しているユーザ端末に送信するサーバ装置とで構成され、
前記サーバ装置は、
前記居住者に関する居住者情報であって、前記居住者の属性及び前記居室番号が含まれている居住者情報と、複数種の広告情報と、を記憶している記憶手段と、
前記イベント情報集約手段から前記イベント情報に関連付けられている前記居室番号を取得して、当該取得した居室番号に基づいて、前記プッシュ通知を送信すべき前記居住者の住戸を前記居住者情報から特定するマッチング手段と、
特定された前記住戸に居住する前記居住者のユーザ端末に前記プッシュ通知を送信するプッシュ通知手段と、
前記マッチング手段によって特定された前記住戸に居住する前記居住者の属性に対応した広告情報を前記複数種の広告情報から選択し、当該選択した広告情報を前記プッシュ通知に付帯させて前記ユーザ端末に送信する広告情報配信手段と、を備える
インターホンシステム。
【請求項２】
住戸に居住する居住者に対するイベントの発生についてのイベント情報であって、前記住戸に割り当てられている居室番号が関連付けられているイベント情報を生成するイベント情報生成装置と、
生成された前記イベント情報を前記イベント情報生成装置から取得して集約するイベント情報集約手段と、
前記イベント情報集約手段と通信ネットワークを介して通信可能に接続されている第一のサーバ装置と、
前記第一のサーバ装置と前記通信ネットワークを介して通信可能に接続されている第二のサーバ装置と、
前記第二のサーバ装置と前記通信ネットワークを介して通信可能に接続されている第三のサーバ装置と、
前記第一のサーバ装置と前記通信ネットワークを介して通信可能に接続され、前記居住者が使用するユーザ端末とで構成され、
前記第二のサーバ装置は、
前記居住者に関する居住者情報であって、前記居住者の属性及び前記居室番号が含まれている居住者情報を記憶している記憶手段と、
前記第一のサーバ装置から前記イベント情報に関連付けられている前記居室番号を取得して、当該取得した居室番号に基づいて、プッシュ通知を送信すべき前記居住者の住戸を前記居住者情報から特定するマッチング手段と、を備え、
前記第三のサーバ装置は、
複数種の広告情報を記憶している記憶手段と、
前記マッチング手段によって特定された前記住戸に居住する前記居住者の属性に対応した広告情報を前記複数種の広告情報から選択し、当該選択した広告情報を前記第一のサーバ装置に送信する広告情報配信手段と、を備え、
前記第一のサーバ装置は、
特定された前記住戸に居住する前記居住者のユーザ端末に前記プッシュ通知を送信するプッシュ通知手段と、
前記第三のサーバ装置から送信される前記広告情報を前記プッシュ通知に付帯させて前記ユーザ端末に送信する情報送受信手段と、を備える
インターホンシステム。
【請求項３】
前記ユーザ端末は、
前記サーバ装置から受信した前記プッシュ通知に基づいて、前記イベント情報集約手段と直接接続することを要求するセッション要求手段を備え、
前記イベント情報集約手段は、
前記ユーザ端末から取得したセッション要求に基づいて、前記ユーザ端末と相互に情報通信するためのセッションを生成するセッション生成手段を備える
請求項１又は２記載のインターホンシステム。
【請求項４】
前記ユーザ端末と前記イベント情報集約手段とはＰ２Ｐ型の通信ネットワークで接続される請求項３記載のインターホンシステム。
【発明の詳細な説明】
【技術分野】
【０００１】
この発明はインターホンシステムに関する。
【背景技術】
【０００２】
従来、インターホンシステムについて種々提案されている。特許文献１には、インターホンなどの通信機器において、応答する前に通信相手を確認できる通信システムが提案されている。
【先行技術文献】
【特許文献】
【０００３】
【特許文献１】特許第６１８６０６６号
【発明の概要】
【発明が解決しようとする課題】
【０００４】
現在、生活に密着する機器をインターネットに接続し、機器からのデータを収集・利用し、利便性を向上するＩｏＴ（Ｉｎｔｅｒｎｅｔ  ｏｆ  Ｔｈｉｎｇｓ）への動きが加速している。各家庭へのＩｏＴ化は種々のメーカー等が手掛けているが、マンションへの切り口とする商材開発について、潜在マーケットの中で開拓の余地がある。
【０００５】
特に、インターホンを備えるマンション等の集合住宅において、居住者が使用する携帯端末に来訪者による前記居住者の呼出を通知するとともに、この通知に合わせて広告等を配信するシステムの提案が望まれている。
【０００６】
この発明は、インターホン呼出及び広告情報を外部に持ち出し可能な携帯端末へ通知するインターホンシステムを提供することを目的とする。
【課題を解決するための手段】
【０００７】
［１］
住戸に居住する居住者に対するイベントの発生についてのイベント情報であって、前記住戸に割り当てられている居室番号が関連付けられているイベント情報を生成するイベント情報生成装置と、
生成された前記イベント情報を前記イベント情報生成装置から取得して集約するイベント情報集約手段と、
前記イベントの発生を伝えるプッシュ通知を、通信ネットワークを介して前記居住者が使用しているユーザ端末に送信するサーバ装置とで構成され、
前記サーバ装置は、
前記居住者に関する居住者情報であって、前記居住者の属性及び前記居室番号が含まれている居住者情報と、複数種の広告情報と、を記憶している記憶手段と、
前記イベント情報集約手段から前記イベント情報に関連付けられている前記居室番号を取得して、当該取得した居室番号に基づいて、前記プッシュ通知を送信すべき前記居住者の住戸を前記居住者情報から特定するマッチング手段と、
特定された前記住戸に居住する前記居住者のユーザ端末に前記プッシュ通知を送信するプッシュ通知手段と、
前記マッチング手段によって特定された前記住戸に居住する前記居住者の属性に対応した広告情報を前記複数種の広告情報から選択し、当該選択した広告情報を前記プッシュ通知に付帯させて前記ユーザ端末に送信する広告情報配信手段と、を備える
インターホンシステム。
【０００８】
［２］
住戸に居住する居住者に対するイベントの発生についてのイベント情報であって、前記住戸に割り当てられている居室番号が関連付けられているイベント情報を生成するイベント情報生成装置と、
生成された前記イベント情報を前記イベント情報生成装置から取得して集約するイベント情報集約手段と、
前記イベント情報集約手段と通信ネットワークを介して通信可能に接続されている第一のサーバ装置と、
前記第一のサーバ装置と前記通信ネットワークを介して通信可能に接続されている第二のサーバ装置と、
前記第二のサーバ装置と前記通信ネットワークを介して通信可能に接続されている第三のサーバ装置と、
前記第一のサーバ装置と前記通信ネットワークを介して通信可能に接続され、前記居住者が使用するユーザ端末とで構成され、
前記第二のサーバ装置は、
前記居住者に関する居住者情報であって、前記居住者の属性及び前記居室番号が含まれている居住者情報を記憶している記憶手段と、
前記第一のサーバ装置から前記イベント情報に関連付けられている前記居室番号を取得して、当該取得した居室番号に基づいて、プッシュ通知を送信すべき前記居住者の住戸を前記居住者情報から特定するマッチング手段と、を備え、
前記第三のサーバ装置は、
複数種の広告情報を記憶している記憶手段と、
前記マッチング手段によって特定された前記住戸に居住する前記居住者の属性に対応した広告情報を前記複数種の広告情報から選択し、当該選択した広告情報を前記第一のサーバ装置に送信する広告情報配信手段と、を備え、
前記第一のサーバ装置は、
特定された前記住戸に居住する前記居住者のユーザ端末に前記プッシュ通知を送信するプッシュ通知手段と、
前記第三のサーバ装置から送信される前記広告情報を前記プッシュ通知に付帯させて前記ユーザ端末に送信する情報送受信手段と、を備える
インターホンシステム。
【発明の効果】
【０００９】
この発明によれば、インターホン呼出及び広告情報を外部に持ち出し可能な携帯端末へ通知するインターホンシステムを提供することができる。
【図面の簡単な説明】
【００１０】
【図１】本発明の実施形態の構成の一例を表す図
【図２】本発明の実施形態の構成の他の例を表す図
【図３】図１図示の実施形態による処理の一例を表すフロー図
【図４】図２図示の実施形態による処理の一例を表すフロー図
【発明を実施するための形態】
【００１１】
以下、添付図面を参照して、本発明の実施形態の一例を説明する。本実施形態のインターホンシステムは、一例として、マンション共用部及び／又は各住戸に設置されるインターホン装置などのイベント情報生成装置で生成されるイベント情報であって、各住戸を特定する情報に関連付けられているイベント情報を、マンション共用部又はクラウド上に設置されるイベント情報集約手段に集約し、前記イベント情報集約手段に集約された前記イベント情報に関連付けられている前記住戸の居住者が使用するユーザ端末に、サーバ装置を介してプッシュ情報及び前記居住者の属性に対応した広告情報を届けるシステムとしている。
【００１２】
［第一の実施形態］
図１に例示するインターホンシステム１Ａは、住戸インターホン装置３と、イベント情報集約手段４と、インターホン制御装置５と、イベント情報生成装置６と、ユーザ端末９と、サーバ装置１０とによって構成されている。
【００１３】
住戸インターホン装置３は、マンション等の集合住宅２の各住戸に設置されている。
【００１４】
イベント情報集約手段４は、イベント情報生成装置６が生成するイベント情報を取得して集約する。イベント情報集約手段４は、本実施形態のインターホンシステムを提供するサービス提供者が設置するもので、物理的なハードウェアで構成することや、クラウド上に構築されたサーバから利用する形態とすることができる。図１に示す形態では、物理的なハードウェアで構成して集合住宅２の共用部に設置している。
【００１５】
インターホン制御装置５は、１）イベント情報集約手段４を介したイベント情報生成装置６とユーザ端末９との間、２）住戸インターホン装置３とイベント情報生成装置６との間の情報通信処理を制御する装置で、集合住宅２の共用部に設置される。
【００１６】
イベント情報生成装置６は、例えば、マンション共用部に設置される。
【００１７】
ユーザ端末９は、集合住宅２の各住戸に居住する居住者が使用するスマートフォン、タブレット端末、携帯電話機、等、の携帯端末であって、サーバ装置１０との間での通信ネットワークを介した通信機能を備える携帯端末である。
【００１８】
サーバ装置１０は、通信ネットワークを介してイベント情報集約手段４及びユーザ端末９とそれぞれ接続されている。イベント情報集約手段４と同じく、本実施形態のインターホンシステムを提供するサービス提供者がインターネット通信網、無線通信規格で定められている無線通信網、等の通信ネットワーク８ａ上に設置する形態にすることができる。
【００１９】
イベント情報集約手段４、サーバ装置１０は、例えば、コンピュータから構成することができる。この場合、いずれも図示していないが、オペレーティングシステムや、インストールあるいはダウンロードした所定のコンピュータプログラムなどに従って、この実施形態のシステムの各種の機能が実現されるように制御を行うＣＰＵ、オペレーティングシステムや種々のコンピュータプログラムなどを記憶し、また、ＣＰＵが各制御のための処理を実行する上で必要なデータを記憶する記憶部としてのＲＯＭ、ＣＰＵが処理を実行する上で必要なデータを記憶し、ＣＰＵによって情報が適宜書き換えられるワークエリアとしても利用されるＲＡＭやハードディスク、更に、ユーザインターフェース、無線通信インターフェースなどを備えていて、これらが必要なバスラインで接続されている構成になっている。
【００２０】
（イベント情報生成装置の構成）
イベント情報生成装置６は、各住戸に居住する居住者に対するイベントの発生についてのイベント情報であって、前記住戸に割り当てられている居室番号が関連付けられているイベント情報を生成する装置である。図１に示すイベント情報生成装置６は、例えば、マンションのエントランスに設置され来訪者が居住者を呼び出して通話するための集合玄関機、居住者が留守中に当該居住者への荷物を預かる荷受用ボックス装置、火災報知機、ガス警報器、水漏れ警報器、緊急地震速報受信装置、等の緊急通報を発信する緊急通報設備、防犯カメラ等を含む防犯設備、等、インターホン機能を備える各種住設備がインターホン制御装置５に接続された構成となっている。
【００２１】
イベント情報生成装置６は、前記集合玄関機、前記荷受用ボックス装置、前記緊急通報設備、前記防犯設備などの各住設備が作動することによって居室番号が関連付けられた種々のイベント情報を生成する。
【００２２】
前記集合玄関機においては、図示していない居室を選択して呼出操作を行う操作部で居室番号を入力することで、居住者に対する来訪者の呼出についてのイベント情報であって、前記居室番号が関連付けられたイベント情報が生成される。このイベント情報には、前記集合玄関機が備えるカメラが撮影する前記来訪者を含むエントランスの映像が含まれていてもよい。
【００２３】
前記集合玄関機に非接触キーリーダが内蔵されている場合においては、前記非接触キーリーダが非接触キーを読み取ってオートロックの解錠が行われると、オートロックの解錠についてのイベント情報であって、居室番号が関連付けられたイベント情報が生成される。このイベント情報には、前記集合玄関機が備える前記カメラが撮影した前記非接触キー所持者（例えば家族）の静止画像が含まれていてもよい。
【００２４】
前記荷受用ボックス装置においては、図示していない居室を選択して収容部の開閉操作を行う操作部で居室番号及び収容部の番号を入力することで、荷物の預入についてのイベント情報であって、前記居室番号及び前記収容部の番号が関連付けられたイベント情報が生成される。
【００２５】
前記緊急通報設備においては、火災報知機、ガス警報器、水漏れ警報器が作動し、緊急地震速報受信装置が緊急地震速報を受信すると、居住者に対する緊急通報についてのイベント情報であって、居室番号が関連付けられたイベント情報が生成される。このイベント情報は全住戸の居住者が対象となる。
【００２６】
前記防犯設備においては、防犯設備が作動すると、防犯設備作動についてのイベント情報であって、居室番号が関連付けられたイベント情報が生成される。このイベント情報には、図示していない防犯カメラ、Ｗｅｂカメラ等が撮影した防犯対象等の動画、静止画が含まれていてもよい。
【００２７】
生成された上記の各種イベント情報は、インターホン制御装置５の制御処理によって住戸インターホン装置３及びイベント情報集約手段４に送信される。
【００２８】
（イベント情報集約手段の構成）
イベント情報集約手段４は、イベント情報生成装置６から上記のようなイベント情報を取得して集約する。イベント情報集約手段４は、物理的なハードウェアで構成することや、クラウド上に構築されたサーバから利用する形態とすることができる。図１に示す形態では、物理的なハードウェアで構成し、インターホン制御装置５を介してイベント情報生成装置６と接続している。また、イベント情報集約手段４は、ルータ７によりインターネット通信網、無線通信規格で定められている無線通信網、等の通信ネットワーク８ａ、８ｂを介してサーバ装置１０及びユーザ端末９とそれぞれ通信可能に接続されている。
【００２９】
図１に示すイベント情報集約手段４は、情報送受信手段４ａ、セッション生成手段４ｂを備えている。
【００３０】
情報送受信手段４ａは、通信ネットワーク８ａを介してサーバ装置１０と情報の送受信を行い、通信ネットワーク８ｂを介してユーザ端末９と情報の送受信を行う。また、情報送受信手段４ａは、インターホン制御装置５を介してイベント情報生成装置６と情報の送受信を行う。
【００３１】
セッション生成手段４ｂは、後述するユーザ端末９から取得したセッション要求に基づいて、ユーザ端末９と相互に情報通信するためのセッションを生成して確立する。
【００３２】
（サーバ装置の構成）
サーバ装置１０は、上記の各種イベントの発生を伝えるプッシュ通知及び当該プッシュ通知の通知対象となる居住者の属性に対応した広告情報を、通信ネットワークを介してユーザ端末９に送信する機能を備える装置である。サーバ装置１０は通信ネットワーク８ａを介してユーザ端末９と通信可能に接続されている。
【００３３】
図１に示すサーバ装置１０は、情報送受信手段１１、記憶手段１２、マッチング手段１５、プッシュ通知手段１６、広告情報配信手段１７を備えている。
【００３４】
情報送受信手段１１は、通信ネットワーク８ａを介してイベント情報集約手段４及びユーザ端末９とそれぞれ情報の送受信を行う。
【００３５】
記憶手段１２は、居住者情報データベース（以下、本明細書、図面において「データベース」を「ＤＢ」という）１３、広告情報ＤＢ１４を備えている。記憶手段１２はデータベースサーバ等の物理的なハードウェアで構成することができる。
【００３６】
居住者情報ＤＢ１３には、前記居住者に関する居住者情報であって、前記居住者の属性及び当該居住者が居住する住戸に割り当てられている居室番号が含まれている居住者情報が記憶されている。また、本実施形態のインターホンシステムを利用するために必要な前記居住者のアカウント情報も記憶されている。
【００３７】
前記居住者の属性には、前記居住者の住所、年齢、性別、職業、家族構成、後述する広告情報へのアクセス履歴、等が含まれている。
【００３８】
広告情報ＤＢ１４には、複数種の広告情報が記憶されている。前記広告情報は、例えば図示していない広告掲載を希望する事業者が使用する端末によって入力される。
【００３９】
前記広告情報は、例えば、前記居住者の住所に対応した配信対象地域特有の広告情報（例えば、地域特有の商品、施設、サービス、等に関する広告情報）、年齢層、性別、職業、家族構成に対応した配信対象属性特有の広告情報（例えば、女性向けの化粧品やサービス、子供向けの商品やサービス、等に関する広告情報）、ユーザ端末９からアクセスされた広告情報に係る広告内容に関連する広告情報（例えば、前記地域特有の商品と類似する商品、等に関する広告情報）、等の前記居住者の属性に対応した情報となっている。
【００４０】
マッチング手段１５は、イベント情報集約手段４から前記イベント情報に関連付けられている前記居室番号を取得して、当該取得した居室番号に基づいて、前記プッシュ通知を送信すべき前記居住者の住戸を前記居住者情報から特定する。このマッチング手段１５は認証サーバ等の物理的なハードウェアで構成することができる。
【００４１】
マッチング手段１５は、イベント情報集約手段４から取得した前記各種のイベント情報に関連付けられている居室番号と一致する居室番号を含む前記居住者情報を居住者情報ＤＢ１３から取得する。これにより、上記の各種イベントの発生を伝えるプッシュ通知を送信すべき前記居住者の住戸を特定することになる。
【００４２】
プッシュ通知手段１６は、特定された前記住戸に居住する前記居住者のユーザ端末９にプッシュ通知を送信する。このプッシュ通知手段１６はプッシュサーバ等の物理的なハードウェアで構成することができる。
【００４３】
プッシュ通知手段１６は、特定された前記住戸に居住する前記居住者のユーザ端末９に前記プッシュ通知を送信するので、当該ユーザ端末９を使用する前記居住者は上述した来訪者の呼出等のイベントの発生を知ることになる。
【００４４】
広告情報配信手段１７は、マッチング手段１５によって特定された前記住戸に居住する前記居住者の属性に対応した広告情報を広告情報ＤＢ１４に記憶されている前記複数種の広告情報から選択し、当該選択した広告情報を前記プッシュ通知に付帯させてユーザ端末９に送信する。
【００４５】
ユーザ端末９には、前記プッシュ通知が表示される際に、ユーザ端末９を使用する前記居住者の上述した属性に対応している種々の広告情報が表示される。
【００４６】
（ユーザ端末９の構成）
ユーザ端末９は、ルータ７により通信ネットワーク８ａを介してサーバ装置１０と通信可能に接続され、通信ネットワーク８ｂを介してイベント情報集約手段４と通信可能に接続されている。イベント情報集約手段４と接続している通信ネットワーク８ｂについて、本実施形態ではブラウザでリアルタイムなコミュニケーションを可能にするＷｅｂＲＴＣを使用したＰ２Ｐ型の通信ネットワークを採用している。
【００４７】
図１に示すユーザ端末９は、情報送受信手段９ａ、記憶手段９ｂ、セッション要求手段９ｃを備えている。
【００４８】
情報送受信手段９ａは、通信ネットワーク８ａを介してサーバ装置１０と情報の送受信を行い、通信ネットワーク８ｂを介してイベント情報集約手段４と情報の送受信を行う。
【００４９】
記憶手段９ｂには、本実施形態によるインターホンシステムのアプリケーションプログラムが記憶されており、このアプリケーションプログラムの実行によって通信ネットワーク８ａを介してサーバ装置１０との間で情報の送受信が可能となり、前記ＷｅｂＲＴＣを使用したＰ２Ｐ型の通信ネットワーク８ｂを介してイベント情報集約手段４との間で直接情報の送受信が可能となっている。
【００５０】
前記アプリケーションプログラムは、本実施形態によるインターホンシステムを利用するための認証手段や、サーバ装置１０から前記プッシュ通知を取得して、前記集合玄関機を介して来訪者と通話する通話手段、前記イベント情報を閲覧するための情報閲覧手段、前記集合玄関機のオートロックの解錠、前記荷受用ボックス装置の開閉、等の住設備との間で情報の送受信を行い、前記住設備を操作するための住設備操作手段、等としてユーザ端末９を機能させるコンピュータプログラムである。
【００５１】
前記アプリケーションプログラムが前記認証手段としてユーザ端末９を機能させることで、図示していない、タッチパネル等の入力手段を使用して前記居住者のアカウント等の認証に必要な情報を入力し、サーバ装置１０に認証を要求することができる。
【００５２】
セッション要求手段９ｃは、サーバ装置１０から受信した前記プッシュ通知に基づいて、イベント情報集約手段４と直接接続するセッションを要求する。
【００５３】
前記アプリケーションプログラムが前記通話手段、前記情報閲覧手段、前記住設備操作手段としてユーザ端末９を機能させることで、セッション要求手段９ｃは、イベント情報集約手段４に種々の処理動作を行うためのセッションを要求する。
【００５４】
例えば、ユーザ端末９がサーバ装置１０から前記プッシュ通知を受け、前記居住者が前記来訪者と通話するため、前記アプリケーションプログラムにおけるインターフェース上で通話を選択することで、前記アプリケーションプログラムが前記通話手段としてユーザ端末９を機能させ、セッション要求手段９ｃは、イベント情報集約手段４に前記集合玄関機を介して来訪者と通話処理を行うためのセッションを要求する。
【００５５】
また、ユーザ端末９がサーバ装置１０から前記プッシュ通知を受け、前記居住者が前記荷物の預入についてのイベント情報や、前記緊急通報設備による緊急通報についてのイベント情報、等を取得するため、前記アプリケーションプログラムにおけるインターフェース上でＵＲＬ等の情報掲載先を選択することで、前記アプリケーションプログラムが情報閲覧手段としてユーザ端末９を機能させ、セッション要求手段９ｃは、イベント情報集約手段４に情報閲覧処理を行うためのセッションを要求する。
【００５６】
ユーザ端末９がサーバ装置１０から前記プッシュ通知を受ける際に、ユーザ端末９を使用する前記居住者の上述した属性に対応している種々の広告情報が表示される。前記居住者は、ユーザ端末９に表示される種々の広告情報の掲載先（ＵＲＬ等のリンク先）にアクセスして広告内容を知ることができる。なお、広告情報の掲載先へのアクセス履歴は上述したように前記居住者の属性として居住者情報ＤＢ１３に記憶される。
【００５７】
イベント情報集約手段４のセッション生成手段４ｂは、ユーザ端末９から取得した前記セッション要求に基づいて、ユーザ端末９と相互に情報通信するためのセッションを生成し、ユーザ端末９との間でＰ２Ｐによるセッションを確立する。
【００５８】
ユーザ端末９では、前記セッション要求に応じた前記イベント情報を取得する。前記通話手段としてユーザ端末９を機能させた場合によるセッション要求に対しては、例えば前記集合玄関機が備えるカメラが撮影している前記来訪者を含むエントランスの映像が含まれているイベント情報を取得する。前記居住者はユーザ端末９とイベント情報集約手段４との間のＰ２Ｐ接続によって、前記集合玄関機を介して前記来訪者と通話をすることができる。
【００５９】
その後、前記居住者が前記アプリケーションプログラムにおけるインターフェース上で、前記住設備の操作として前記集合玄関機の解錠操作を選択すると、前記アプリケーションプログラムが前記住設備操作手段としてユーザ端末９を機能させ、イベント情報集約手段４に当該解錠操作の指示を通知する。イベント情報集約手段４は、ユーザ端末９から取得した前記アプリケーションプログラムによる前記集合玄関機の解錠操作の通知に基づいて、前記集合玄関機に対して当該解錠操作を実行するためのコマンドを発行する。前記集合玄関機はイベント情報集約手段４からの前記解錠操作のコマンドに基づいて、オートロックを解錠する。
【００６０】
前記情報閲覧手段としてユーザ端末９を機能させた場合によるセッション要求に対しては、例えば上述した荷物の預入についてのイベント情報であって、居室番号及び収容部の番号が関連付けられたイベント情報を取得するので、前記居住者は前記荷物の預入があったことを知ることができる。
【００６１】
その後、前記居住者が前記アプリケーションプログラムにおけるインターフェース上で、前記住設備の操作として前記荷受用ボックス装置の開閉操作を選択すると、前記アプリケーションプログラムが前記住設備操作手段としてユーザ端末９を機能させ、イベント情報集約手段４に当該開閉操作の指示を通知する。イベント情報集約手段４は、ユーザ端末９から取得した前記アプリケーションプログラムによる前記荷受用ボックス装置の開閉操作の通知に基づいて、前記荷受用ボックス装置に対して当該開閉操作を実行するためのコマンドを発行する。前記荷受用ボックス装置はイベント情報集約手段４からの前記開閉操作のコマンドに基づいて、収容部のロックを解錠する。この場合、前記居住者は、前記荷受用ボックス装置で直接開閉操作をすることなく、イベント情報集約手段４とのＰ２Ｐ通信によってユーザ端末９側で開閉操作をすることになる。
【００６２】
また、前記防犯設備による防犯設備作動についてのイベント情報を取得した場合において、前記居住者が前記アプリケーションプログラムにおけるインターフェース上で、前記住設備の操作として例えば前記防犯設備の警備処理の解除操作を選択すると、前記アプリケーションプログラムが前記住設備操作手段としてユーザ端末９を機能させ、イベント情報集約手段４に当該解除操作の指示を通知する。イベント情報集約手段４は、ユーザ端末９から取得した前記アプリケーションプログラムによる前記防犯設備の警備処理の解除操作の通知に基づいて、前記防犯設備に対して当該警備処理の解除操作を実行するためのコマンドを発行する。前記防犯設備はイベント情報集約手段４からの前記警備処理の解除操作のコマンドに基づいて、警備処理を解除する。
【００６３】
このように、イベント情報集約手段４のセッション生成手段４ｂがユーザ端末９との間でＰ２Ｐによるセッションを確立した後、イベント情報集約手段４とユーザ端末９との間で、ユーザ端末９に対してイベント情報を通知するだけでなく、ユーザ端末９から住設備の操作指示をイベント情報集約手段４が受け付けて、前記住設備と連携することができる。
【００６４】
また、本実施形態では、従来のクライアント−サーバ方式とは異なり、ＷｅｂＲＴＣを使用したＰ２Ｐ型の通信ネットワーク８ｂによってイベント情報集約手段４との間で直接情報の送受信を行い、サーバ装置１２はイベント情報集約手段４とユーザ端末９をペアリングし、広告情報をユーザ端末９に配信するのみで、その後のデータ送受信には関与しない。また、ＷｅｂＲＴＣを使用することにより通信量の削減（圧縮）と分散（一極集中回避）を行う。したがって、住戸あたりの情報通信量が小さく、分散された情報送受信を行うことができ、低速回線でもユーザ端末９とのセッション開始時に音声、映像、画像、テキスト等のデータを安定した品質で送信できるインターホンシステムとなっている。
【００６５】
また、受動的な状態（待受け状態）の利用者（居住者）に対して、マンション等の共用の情報と居住者固有の情報（居住住戸へのインターホン呼出等）を発信するので、マンション等のユーティリティとして日常に根差したインターホンシステムとなっている。
【００６６】
また、ＷｅｂＲＴＣを使用したＰ２Ｐ型の通信ネットワーク８ｂを利用することで、通信経路上の各種情報を暗号化し、セキュリティの確保を担保したインターホンシステムとなっている。
【００６７】
また、ユーザ端末９がサーバ装置１０から前記プッシュ通知を受ける際に、ユーザ端末９を使用する前記居住者の上述した属性に対応している種々の広告情報が表示されるので、前記居住者にとって関連性の高いあるいは好みに合う広告情報を、インターホンを利用した新しい手法で取得できるインターホンシステムとなっている。
【００６８】
［第一の実施形態による処理フロー］
図３を参照して本実施形態のインターホンシステム１Ａの処理フローを説明する。この処理フローでは、マンションの住戸に居住する居住者に対するイベントとして来訪者による呼出を例とする。
【００６９】
（Ｓ１０１）イベント情報生成装置６を構成する集合玄関機において、来訪者が図示していない居室を選択して呼出操作を行う操作部で居室番号を入力することで、居住者に対する来訪者の呼出についてのイベント情報であって、居室番号が関連付けられたイベント情報が生成される。生成された前記イベント情報は、インターホン制御装置５の制御処理によってイベント情報集約手段４に送信される。
【００７０】
（Ｓ１０２）イベント情報集約手段４は、前記集合玄関機から前記イベント情報を取得して集約する。情報送受信手段４ａは、前記イベント情報を取得した旨を通知する情報に当該イベント情報に関連付けられていた居室番号に関する情報を付帯させてサーバ装置１０に送信する。
【００７１】
（Ｓ１０３）サーバ装置１０は、イベント情報集約手段４から前記取得したイベント情報に付帯している前記居室番号に関する情報を取得する。マッチング手段１５は、イベント情報集約手段４から取得した前記居室番号と一致する居室番号を含む居住者情報を居住者情報ＤＢ１３から取得して、前記来訪者による呼出についてのイベントの発生を含むプッシュ通知を送信すべき前記居住者の住戸を特定する。
【００７２】
（Ｓ１０４）広告情報配信手段１７は、マッチング手段１５によって特定された前記住戸に居住する前記居住者の属性に対応した広告情報を広告情報ＤＢ１４に記憶されている前記複数種の広告情報から選択する。
【００７３】
（Ｓ１０５）プッシュ通知手段１６は、特定された前記住戸に居住する前記居住者のユーザ端末９に送信するためのプッシュ通知を作成する。
【００７４】
（Ｓ１０６）プッシュ通知手段１６は、ユーザ端末９に前記作成したプッシュ通知を送信する。また、広告情報配信手段１７は、前記選択した広告情報を前記プッシュ通知に付帯させてユーザ端末９に送信する。
【００７５】
（Ｓ１０７）ユーザ端末９では、前記プッシュ通知を受信するとともに、前記居住者の属性に対応した広告情報が表示される。
【００７６】
（Ｓ１０８）前記居住者が前記来訪者と通話するため、アプリケーションプログラムにおけるインターフェース上で通話を選択することで、前記アプリケーションプログラムが通話手段としてユーザ端末９を機能させ、セッション要求手段９ｃがイベント情報集約手段４に前記集合玄関機を介して来訪者と通話処理を行うためのセッションを要求する。
【００７７】
（Ｓ１０９）イベント情報集約手段４のセッション生成手段４ｂは、ユーザ端末９から取得した前記セッション要求に基づいて、ユーザ端末９と相互に情報通信するためのセッションを生成し、ユーザ端末９との間でＰ２Ｐによるセッションを確立する。
【００７８】
（Ｓ１１０、Ｓ１１１）ユーザ端末９では、前記集合玄関機が備えるカメラが撮影している前記来訪者を含むエントランスの映像が含まれているイベント情報を取得するので、前記居住者はユーザ端末９とイベント情報集約手段４との間のＰ２Ｐ接続によって前記来訪者と通話をすることができる。
【００７９】
［第二の実施形態］
図２に例示するインターホンシステム１Ｂは、住戸インターホン装置３と、イベント情報集約手段４と、インターホン制御装置５と、イベント情報生成装置６と、ユーザ端末９と、第一のサーバ装置１８と、第二のサーバ装置２１と、第三のサーバ装置２４とによって構成されている。第一の実施形態で説明したサーバ装置１０を第一のサーバ装置１８、第二のサーバ装置２１、第三のサーバ装置２４に変更した点で第一の実施形態と異なっている。そのため、第一の実施形態で説明した構成と共通する構成については同じ符号を付し、その説明を省略する。
【００８０】
（第一のサーバ装置の構成）
第一のサーバ装置１８は、ユーザ端末９に通信ネットワーク８ａを介して前記アプリケーションプログラムによる各機能を提供するアプリケーションサーバである。第一のサーバ装置１８は、通信ネットワーク８ａを介してイベント情報集約手段４、ユーザ端末９、第二のサーバ装置２１とそれぞれ通信可能に接続されている。
【００８１】
図２に示す第一のサーバ装置１８は、情報送受信手段１９、認証要求手段２０、プッシュ通知手段１６を備えている。
【００８２】
情報送受信手段１９は、通信ネットワーク８ａを介してイベント情報集約手段４、ユーザ端末９、第二のサーバ装置２１とそれぞれ情報の送受信を行う。
【００８３】
認証要求手段２０は、イベント情報集約手段４から前記イベント情報に関連付けられている前記居室番号を取得して、当該取得した居室番号に基づいて、前記プッシュ通知を送信すべき前記居住者の住戸を前記居住者情報から特定することを第二のサーバ装置２１に要求する。
【００８４】
プッシュ通知手段１６は、第二のサーバ装置２１によって特定された前記住戸に居住する前記居住者のユーザ端末９に前記プッシュ通知を送信する。
【００８５】
（第二のサーバ装置の構成）
第二のサーバ装置２１は、第一のサーバ装置１８を介してイベント情報集約手段４から前記イベント情報に関連付けられている前記居室番号を取得して、当該取得した居室番号に基づいて、前記プッシュ通知を送信すべき前記居住者の住戸を前記居住者情報から特定する認証サーバである。第二のサーバ装置２１は、通信ネットワーク８ａを介して第一のサーバ装置１８と通信可能に接続されている。
【００８６】
図２に示す第二のサーバ装置２１は、情報送受信手段２２、記憶手段２３、マッチング手段１５を備えている。
【００８７】
情報送受信手段２２は、通信ネットワーク８ａを介して第一のサーバ装置１８と情報の送受信を行う。
【００８８】
記憶手段２３は、上述した居住者情報ＤＢ１３を備えている。
【００８９】
マッチング手段１５は、第一のサーバ装置１８を介してイベント情報集約手段４から前記イベント情報に関連付けられている前記居室番号を取得して、当該取得した居室番号に基づいて、前記プッシュ通知を送信すべき前記居住者の住戸を前記居住者情報から特定する。
【００９０】
（第三のサーバ装置の構成）
第三のサーバ装置２４は、第二のサーバ装置２１から、マッチング手段１５によって特定された前記住戸に居住する前記居住者についての居住者情報を取得して、当該居住者の属性に対応した広告情報を前記プッシュ通知に付帯させてユーザ端末９に送信する広告情報配信サーバである。第三のサーバ装置２４は、通信ネットワーク８ａを介して第二のサーバ装置２１と通信可能に接続されている。
【００９１】
図２に示す第三のサーバ装置２４は、情報送受信手段２５、記憶手段２６、広告情報配信手段１７を備えている。
【００９２】
情報送受信手段２５は、通信ネットワーク８ａを介して第二のサーバ装置２１と情報の送受信を行う。
【００９３】
記憶手段２６は、上述した広告情報ＤＢ１４を備えている。
【００９４】
広告情報配信手段１７は、第二のサーバ装置２１から、マッチング手段１５によって特定された前記住戸に居住する前記居住者についての居住者情報を取得して、当該居住者の属性に対応した広告情報を前記プッシュ通知に付帯させてユーザ端末９に送信する。
【００９５】
本実施形態においても、ユーザ端末９が第一のサーバ装置１８から前記プッシュ通知を受ける際に、ユーザ端末９を使用する前記居住者の上述した属性に対応している種々の広告情報が表示されるので、前記居住者にとって関連性の高いあるいは好みに合う広告情報を、インターホンを利用した新しい手法で取得できるインターホンシステムとなっている。
【００９６】
［第二の実施形態による処理フロー］
図４を参照して本実施形態のインターホンシステム１Ｂの処理フローを説明する。この処理フローでも、マンションの住戸に居住する居住者に対するイベントとして来訪者による呼出を例とする。
【００９７】
（Ｓ２０１）イベント情報生成装置６を構成する集合玄関機において、来訪者が図示していない居室を選択して呼出操作を行う操作部で居室番号を入力することで、居住者に対する来訪者の呼出についてのイベント情報であって、居室番号が関連付けられたイベント情報が生成される。生成された前記イベント情報は、インターホン制御装置５の制御処理によってイベント情報集約手段４に送信される。
【００９８】
（Ｓ２０２）イベント情報集約手段４は、前記集合玄関機から前記イベント情報を取得して集約する。情報送受信手段４ａは、前記イベント情報を取得した旨を通知する情報に当該イベント情報に関連付けられていた居室番号に関する情報を付帯させて第一のサーバ装置１８に送信する。
【００９９】
（Ｓ２０３）第一のサーバ装置１８の認証要求手段２０は、イベント情報集約手段４から前記イベント情報に関連付けられている前記居室番号を取得して、当該取得した居室番号に基づいて、前記プッシュ通知を送信すべき前記居住者の住戸を前記居住者情報から特定することを第二のサーバ装置２１に要求する。
【０１００】
（Ｓ２０４）第二のサーバ装置２１は、第一のサーバ装置１８を介してイベント情報集約手段４から前記取得したイベント情報に付帯している前記居室番号に関する情報を取得する。  
マッチング手段１５は、取得した前記居室番号と一致する居室番号を含む居住者情報を居住者情報ＤＢ１３から取得して、前記来訪者による呼出についてのイベントの発生を含むプッシュ通知を送信すべき前記居住者の住戸を特定する。
【０１０１】
（Ｓ２０５）第三のサーバ装置２４の広告情報配信手段１７は、第二のサーバ装置２１から、マッチング手段１５によって特定された前記住戸に居住する前記居住者についての居住者情報を取得して、当該居住者の属性に対応した広告情報を広告情報ＤＢ１４に記憶されている前記複数種の広告情報から選択する。選択された広告情報は第二のサーバ装置２１へ送信される。
【０１０２】
（Ｓ２０６）第二のサーバ装置２１は、特定した前記住戸に居住する前記居住者についての居住者情報と、第三のサーバ装置２４から受信した前記広告情報を第一のサーバ装置１８へ送信する。
【０１０３】
（Ｓ２０７）第一のサーバ装置１８のプッシュ通知手段１６は、特定された前記住戸に居住する前記居住者のユーザ端末９に送信するためのプッシュ通知を作成する。
【０１０４】
（Ｓ２０８）プッシュ通知手段１６は、ユーザ端末９に前記作成したプッシュ通知を送信する。また第一のサーバ装置１８の情報送受信手段１９は、第二のサーバ装置２１から受信した前記選択された広告情報を前記プッシュ通知に付帯させてユーザ端末９に送信する。
【０１０５】
（Ｓ２０９）ユーザ端末９では、前記プッシュ通知を受信するとともに、前記居住者の属性に対応した広告情報が表示される。
【０１０６】
（Ｓ２１０）前記居住者が前記来訪者と通話するため、アプリケーションプログラムにおけるインターフェース上で通話を選択することで、前記アプリケーションプログラムが通話手段としてユーザ端末９を機能させ、セッション要求手段９ｃがイベント情報集約手段４に前記集合玄関機を介して来訪者と通話処理を行うためのセッションを要求する。
【０１０７】
（Ｓ２１１）イベント情報集約手段４のセッション生成手段４ｂは、ユーザ端末９から取得した前記セッション要求に基づいて、ユーザ端末９と情報通信するためのセッションを生成し、ユーザ端末９との間でＰ２Ｐによるセッションを確立する。
【０１０８】
（Ｓ２１２、Ｓ２１３）前記セッション確立後、ユーザ端末９では、前記集合玄関機が備えるカメラが撮影している前記来訪者を含むエントランスの映像が含まれているイベント情報を取得するので、前記居住者はユーザ端末９とイベント情報集約手段４との間のＰ２Ｐ接続によって前記来訪者と通話をすることができる。
【符号の説明】
【０１０９】
１Ａ、１Ｂ  インターホンシステム
２  集合住宅
３  住戸インターホン装置
４  イベント情報集約手段
４ａ  情報送受信手段
４ｂ  セッション生成手段
５  インターホン制御装置
６  イベント情報生成装置
７  ルータ
８ａ、８ｂ  通信ネットワーク
９  ユーザ端末
９ａ  情報送受信手段
９ｂ  記憶手段
９ｃ  セッション要求手段
１０  サーバ装置
１１  情報送受信手段
１２  記憶手段
１３  居住者情報ＤＢ
１４  広告情報ＤＢ
１５  マッチング手段
１６  プッシュ通知手段
１７  広告情報配信手段
１８  第一のサーバ装置
１９  情報送受信手段
２０  認証要求手段
２１  第二のサーバ装置
２２  情報送受信手段
２３  記憶手段
２４  第三のサーバ装置
２５  情報送受信手段
２６  記憶手段
【図１】
2019220915.tif 000003
【図２】
2019220915.tif 000004
【図３】
2019220915.tif 000005
【図４】
2019220915.tif 000006